(57)【要約】【課題】簡易な手法により、加工等の手間をできるだけ少なくしながら、ロック筒を回転させた際に押釦がこれに追従して回転するのを簡易な手法で防止することのできる押釦装置及びこれを備える腕時計を提供する。【解決手段】操作用の頭部５１と軸部５２とを有し腕時計ケース１の貫通孔１１に摺動可能に挿入される操作釦５と、操作釦５の頭部５１の外周に螺着されたロック筒７と、を備えた押釦装置において、位置決めピン８が、腕時計ケース１から操作釦５の軸部５２の軸方向に突出し、かつ軸部５２の軸心に対して偏心して設けられ、操作釦の頭部５１内には、軸部５２の軸方向に延びるピン係止部５９が、軸部５２の軸心に対して偏心して形成され、操作釦５の頭部５１のピン係止部５９に置決めピン８の先端が挿入されて操作釦５の周方向の位置決めが行なわれる。【選択図】図１
2010197195.tif 000002
【特許請求の範囲】
【請求項１】
操作用の頭部とこの頭部に連設される軸部とを有し本体ケースに形成された貫通孔に前記軸部が摺動可能に挿入される操作釦と、
前記操作釦の頭部の外周に螺着されたロック筒と、を備えた押釦装置において、
位置決め部材が、前記本体ケースから前記操作釦の軸部の軸方向に突出し、かつ前記軸部の軸心に対して偏心して設けられ、
前記操作釦の頭部内には、前記軸部の軸方向に延びる溝部が、前記軸部の軸心に対して偏心して形成され、
前記操作釦の頭部の溝部に前記位置決め部材の先端が挿入されて前記操作釦の周方向の位置決めが行なわれることを特徴とする押釦装置。
【請求項２】
前記位置決め部材は、円柱状に形成された位置決めピンであることを特徴とする請求項１に記載の押釦装置。
【請求項３】
前記溝部は、前記位置決め部材の外周の形状に沿った形状に形成されていることを特徴とする請求項１又は請求項２に記載の押釦装置。
【請求項４】
前記操作釦の頭部と前記本体ケースとの間に、前記操作釦の頭部を前記本体ケースから離間する方向に付勢するばねが設けられていることを特徴とする請求項１から請求項３のいずれか一項に記載の押釦装置。
【請求項５】
前記操作釦の軸部の周面には、リング状の封止部材が設けられていることを特徴とする請求項１から請求項４のいずれか一項に記載の押釦装置。
【請求項６】
請求項１から請求項５のいずれか一項に記載の押釦装置と、
前記本体ケースと、
を備えていることを特徴とする腕時計。
【発明の詳細な説明】
【技術分野】
【０００１】
本発明は、押釦装置及び腕時計に関するものである。
【背景技術】
【０００２】
従来、腕時計等の電子機器には、各種の機能を作動させる為の押釦（操作釦）が設けられている。しかし、このような押釦は、誤ってユーザの手が触れたり、何かに接触した際の衝撃等により誤って押されてしまい、機器を誤動作させるおそれがある。特にダイバー用の腕時計等の場合には、水中で外部から水圧がかかるため、押釦が押されたままの状態となるおそれがあり、機器の誤動作が生じうる。
【０００３】
そこで、押釦が誤って押されることのないように、押釦の外周にねじ部を設けて、これにねじリング（ロック筒）を螺合させ、このねじリング（ロック筒）を回転させて押釦のプッシュストロークを変化させることにより、押釦をロック状態又はロック解除状態に保持することができるようにした押釦構造が提案されている（例えば、特許文献１参照）。
【先行技術文献】
【特許文献】
【０００４】
【特許文献１】実開昭５４−９１１５０号公報
【発明の概要】
【発明が解決しようとする課題】
【０００５】
しかしながら、このようにロック筒を回転させることによって押釦のプッシュストロークを変化させて、押釦をロック状態又はロック解除状態に保持する構成とした場合には、ロック筒を回転させてねじ込んだり戻したりする際に、ロック筒と螺合している押釦がロック筒に追従して回転してしまう（すなわち、ロック筒と押釦とがとも回りしてしまう）という問題がある。
このようにロック筒を回転させた際に押釦が同時に回転してしまうとロック筒が押釦の軸方向に移動せず、押釦のロック及びロック解除を適切に行うことができない。また、押釦を付勢するためにばねが設けられている場合、このばねに無理な力が加わったり、負荷がかかって変形してしまうおそれもある。
【０００６】
そこで、本発明は、以上のような事情に鑑みてなされたものであり、加工等の手間をできるだけ少なくしながら、ロック筒を回転させた際に押釦がこれに追従して回転するのを簡易な手法で防止することのできる押釦装置及びこれを備える腕時計を提供することを目的としている。
【課題を解決するための手段】
【０００７】
このような問題を解決するため、請求項１に記載の発明は、
操作用の頭部とこの頭部に連設される軸部とを有し本体ケースに形成された貫通孔に前記軸部が摺動可能に挿入される操作釦と、
前記操作釦の頭部の外周に螺着されたロック筒と、を備えた押釦装置において、
位置決め部材が、前記本体ケースから前記操作釦の軸部の軸方向に突出し、かつ前記軸部の軸心に対して偏心して設けられ、
前記操作釦の頭部内には、前記軸部の軸方向に延びる溝部が、前記軸部の軸心に対して偏心して形成され、
前記操作釦の頭部の溝部に前記位置決め部材の先端が挿入されて前記操作釦の周方向の位置決めが行なわれることを特徴とする押釦装置である。
【０００８】
請求項２に記載の発明は、請求項１に記載の押釦装置において、
前記位置決め部材は、円柱状に形成された位置決めピンであることを特徴としている。
【０００９】
請求項３に記載の発明は、請求項１又は請求項２に記載の押釦装置において、
前記溝部は、前記位置決め部材の外周の形状に沿った形状に形成されていることを特徴としている。
【００１０】
請求項４に記載の発明は、請求項１から請求項３のいずれか一項に記載の押釦装置において、
前記操作釦の頭部と前記本体ケースとの間に、前記操作釦の頭部を前記本体ケースから離間する方向に付勢するばねが設けられていることを特徴としている。
【００１１】
請求項５に記載の発明は、請求項１から請求項４のいずれか一項に記載の押釦装置において、
前記操作釦の軸部の周面には、リング状の封止部材が設けられていることを特徴としている。
【００１２】
請求項６に記載の発明は、
請求項１から請求項５のいずれか一項に記載の押釦装置と、
前記本体ケースと、を備えていることを特徴とする腕時計である。
【発明の効果】
【００１３】
本発明によれば、誤動作防止用のロック筒を備える押釦装置及びこれを備える腕時計において、操作釦の頭部内に溝部を形成し、この溝部に本体ケース側から突出している位置決め部材を挿入するという簡易な構成によりロック筒を回転させた際に操作釦がこれに追従して回転する（すなわち、とも回りする）ことを防止することができるとの効果を奏する。
【図面の簡単な説明】
【００１４】
【図１】本実施形態の押釦装置の概略構成を示す断面図である。
【図２】図１に示す押釦装置の断面斜視図である。
【図３】（ａ）は、図１に示す押釦装置に備えられる案内筒の側断面図であり、（ｂ）は、（ａ）に示す案内筒を矢視III方向から見た平面図である。
【図４】（ａ）は、図１に示す押釦装置に備えられる操作釦の側断面図であり、（ｂ）は、（ａ）に示す操作釦を矢視IV方向から見た平面図である。
【図５】（ａ）は、図１に示す押釦装置に備えられるロック筒の側断面図であり、（ｂ）は、（ａ）に示すロック筒を矢視V方向から見た平面図である。
【図６】（ａ）は、図１に示す押釦装置に備えられる位置決めピンの側面図であり、（ｂ）は、（ａ）に示す位置決めピンを矢視VI方向から見た平面図である。
【発明を実施するための形態】
【００１５】
以下、図面を参照して、本発明の好適な実施形態について説明する。なお、以下では、本発明に係る押釦装置を腕時計に適用した場合について説明するが、本発明を適用可能な実施形態がこれに限定されるものではない。
【００１６】
図１は、腕時計ケース及び押釦装置の要部断面図であり、図２は、図１に示す腕時計ケース及び押釦装置の要部断面斜視図である。
図１及び図２に示すように、腕時計１００の本体ケースである腕時計ケース１の上部には時計ガラス２がパッキン２１を介して装着されており、下部には裏蓋部材３がＯリング３１を介して取り付けられている。また、腕時計ケース１の内部には、文字板等の表示部材（図示せず）や、図示しない回路基板等の電子部品を備える時計モジュール（図示せず）等が収納されている。回路基板上には、腕時計１００の各種機能を実現するためのスイッチングを行う図示しない接点が設けられている。
【００１７】
また、腕時計ケース１の内部には、一端側が回路基板に設けられた接点に対して接離可能に配置された板ばね４が設けられている。板ばね４の他端側は、後述する押釦装置５０によって押圧可能に構成されており、板ばね４の他端側が押釦装置５０により押圧されると板ばね４の一端が回路基板上の接点と接触してスイッチの切り替えを行う構成となっている。
【００１８】
腕時計ケース１の側面には、腕時計ケース１の内部に貫通する貫通孔１１が形成されている。また、この貫通孔１１よりも僅かに腕時計１００における視認側に近い位置（図１及び図２において上方）には、後述する位置決めピン８を挿入するピン挿入部１２が形成されている。ピン挿入部１２は貫通孔１１とほぼ平行な穴である。
なお、本実施形態では、ピン挿入部１２が腕時計ケース１の厚みのほぼ半分程度の長さの穴となっているが、ピン挿入部１２は位置決めピン８を挿入し固定できるものであればよく、貫通孔であってもよい。腕時計ケース１の側部であって、貫通孔１１及びピン挿入部１２の設けられている側には、押釦装置５０が設けられている。
【００１９】
本実形態において、押釦装置５０は、操作釦５、操作釦５を腕時計ケース１に取り付けるための案内筒６、操作釦５をロックするロック筒７、操作釦５を位置決めする位置決めピン８等を備えて構成されている。以下、押釦装置５０の具体的構成について詳説する。
【００２０】
図３（ａ）は、案内筒６の側断面図であり、図３（ｂ）は、案内筒６を図３（ａ）における矢視III方向から見た平面図である。
案内筒６は、図３（ａ）及び図３（ｂ）に示すように、両端に開口部６１ａ，６１ｂを有する円筒状の部材であり、外径が貫通孔１１の内径とほぼ等しく形成され貫通孔１１に挿通される挿通部６２と、挿通部６２の一端側に設けられ外側の径が挿通部６２の外径よりも大きく形成された鍔部６３と、を有している。
【００２１】
案内筒６の挿通部６２は、腕時計ケース１の側面の厚みよりも大きい長さ寸法を有しており、鍔部６３が腕時計ケース１の側面に突き当たるまで腕時計ケース１の外側から内側に連通するように貫通孔１１に挿通されている。案内筒６は、圧入、ロウ付け、スポット溶接等により腕時計ケース１に固定されている。
【００２２】
また、鍔部６３の設けられている側の開口部６１ａの端部には外側に向かってテーパ状に広がるガイド面６４が形成されており、このガイド面６４により操作釦５の軸部５２（図４（ｂ）参照）の案内筒６への挿入が円滑に行われるようになっている。
【００２３】
図４（ａ）は、操作釦５の側断面図であり、図４（ｂ）は、操作釦５を図４（ａ）における矢視IV方向から見た平面図である。
操作釦５は、図４（ａ）及び図４（ｂ）に示すように、腕時計ケース１から外方に突出して外部から押圧操作される頭部５１と、案内筒６内に挿入される軸部５２と、軸部５２の先端部分に位置する当接部５３とが同軸的に連設されることにより構成されている。
頭部５１の腕時計ケース１側の端部外周面には、雄ネジ５１ａが刻設されている。
【００２４】
軸部５２の中央部近傍には、軸部５２の外周面に沿って２つの周溝５４ａ，５４ｂが形成されている。この周溝５４ａ，５４ｂ内には、それぞれＯリング等のリング状の封止部材であるシールリング５５が嵌め込まれており、操作釦５と案内筒６との間の気密性が確保されるようになっている。シールリング５５は、例えば各種の樹脂等で形成されている。なお、シールリング５５を形成する材料はこれに限定されない。
【００２５】
また、軸部５２と当接部５３との間には、軸部５２の外周面に沿って係止溝５６が形成されている。この係止溝５６には、操作釦５が案内筒６から抜け落ちるのを防止する抜止め部材５７が係止されている。抜止め部材５７としては、例えば案内筒６の内径よりも大きい径を有するＥ形リング等を用いることができる。なお、抜止め部材５７は、操作釦５が案内筒６から抜け落ちるのを防止可能なものであればよく、Ｅ形リングに限定されない。
【００２６】
当接部５３は、前記板ばね４の他端側端部（押釦装置５０側の端部）に当接しており、操作釦５が腕時計ケース１の内部に向かって押し込まれることにより、板ばね４を押圧して、板ばね４の一端側端部（回路基板側の端部）を回路基板上の接点と接触させるようになっている。
【００２７】
本実施形態において、操作釦５の頭部５１の内部には、軸部５２と同軸に形成された円筒状の溝部５８が形成されている。また、溝部５８の一端であって、軸部５２の軸心に対して偏心して、後述する位置決めピン８が挿入・係止されるピン係止部５９が形成されている。ピン係止部５９は、軸部５２の軸方向に延在する溝部となっており、位置決めピン８の外周の形状に沿って、その壁面側の形状が半円形状に形成されている。押釦装置の組立状態において、位置決めピン８はピン係止部５９内に挿入され、係止される。
【００２８】
また、頭部５１の溝部５８の内周面と軸部５２の外周面との間には、コイルばね９が軸部５２の外周に巻回されて設けられている。コイルばね９は、その一端側が案内筒６の鍔部６３の上端面に当接し、他端側が溝部５８の奥側内面に当接しており、操作釦５を常態において軸部５２の軸方向に沿って腕時計ケース１から離間する方向に付勢するようになっている。
【００２９】
図５（ａ）は、ロック筒７の側断面図であり、図５（ｂ）は、ロック筒７を図５（ａ）における矢視V方向から見た平面図である。
ロック筒７は、図５（ａ）及び図５（ｂ）に示すように、中空の短柱形状の部材であり、両端部に開口部７４ａ，７４ｂを有している。このうち、腕時計ケース１側に配置される開口部７４ａには、側壁から連設される鍔部７３が設けられており、開口部７４ａの径は操作釦５の頭部５１の腕時計ケース１側の端面の径よりも小さくなっている。これにより、ロック筒７を回転させてロック解除状態とした際に、ロック筒７の鍔部７３の内面が操作釦５の頭部５１の端面に突き当たり、ロック筒７の抜け落ちを防止するようになっている。
【００３０】
また、ロック筒７の内周面には、操作釦５の頭部５１内に形成されている雄ネジ５１ａに螺合する雌ネジ７２が形成されている。
ロック筒７は、操作釦５の頭部５１に対して回転させることにより、鍔部７３の外側面が腕時計ケース１の外側面に当接する位置（図１におけるｗ１）から所定のストローク距離Ｗだけ腕時計ケース１の外側面から離間する位置（図１におけるｗ２）まで移動可能となっている。
なお、ロック筒７を回転操作しやすいように、ロック筒７の外周面には、図５（ｂ）に示すような凹凸が設けられていることが好ましい。
【００３１】
図６（ａ）は、位置決めピン８の側断面図であり、図６（ｂ）は、位置決めピン８を図６（ａ）における矢視VI方向から見た平面図である。
位置決めピン８は、図６（ａ）及び図６（ｂ）に示すように円柱状の位置決め部材であり、図１に示すように、その一端側が腕時計ケース１のピン挿入部１２に挿入されている。位置決めピン８は、圧入、ロウ付け、スポット溶接等によりピン挿入部１２に固定されていることが好ましい。
【００３２】
位置決めピン８は、操作釦５の軸部５２の軸方向に沿って腕時計ケース１側から頭部５１側に突出している。また、位置決めピン８は、軸部５２の軸心に対して偏心している。位置決めピン８の他端側の先端は、操作釦５の頭部５１内に形成されたピン係止部５９内に挿入され、係止されている。
位置決めピン８は、操作釦５の、軸部５２を中心とした周方向の位置決めを行う位置決め部材であり、操作釦５は、軸部５２の軸方向に沿って前後に摺動可能であるが、操作釦５の軸部５２を中心とした周方向はこの位置決めピン８により位置決めされ、軸部５２を中心として回動することが規制されるようになっている。
【００３３】
なお、位置決めピン８は、操作釦５のロック状態及びロック解除状態のいずれにおいても、少なくともその一端がピン係止部５９内に挿入されるとともに、ロック解除状態において操作釦５を腕時計ケース１側に押し込む際に、押し込み動作を阻害しない（すなわち、操作釦５の押し込み動作の完了まで頭部５１内側に突き当たらない）程度の長さに形成されている。
【００３４】
次に、本実施形態における押釦装置及びこれを備える腕時計の作用について説明する。
【００３５】
操作釦５を操作する際には、ロック筒７を操作釦５の頭部５１に対して所定方向に回転させて、鍔部７３の外側面の位置が腕時計ケース１の外側面に当接する位置（図１におけるｗ１）から鍔部７３の外側面が所定のストローク距離Ｗだけ腕時計ケース１の外側面から離間する位置（図１におけるｗ２）まで移動させ、ロック解除状態とする。このとき、位置決めピン８がピン係止部５９内に係止されていることにより操作釦５の軸部５２を中心とする回動が規制されて、ロック筒７の回転に追従して操作釦５が軸方向に回動する（すなわち、操作釦５がロック筒７ととも回りする）ことが防止される。
このロック解除状態においては、操作釦５を軸部５２の軸方向にストローク距離Ｗだけ移動させることが可能となる。そして、操作釦５の頭部５１を腕時計ケース１の側に押し込むことにより、軸部５２がその軸方向に沿って摺動し、軸部５２の先端に位置する当接部５３が板ばね４を押圧する。これにより、板ばね４の他端側が回路基板側の接点に接触し、腕時計１００の各種機能部についてスイッチの切り替えが行われる。
【００３６】
操作釦５の操作をロックする際には、ロック筒７を、操作釦５の頭部５１に対して、ロック解除時とは反対の方向に回転させて、鍔部７３の外側面の位置が図１におけるｗ２の位置から図１におけるｗ１の位置となるまで移動させる。このとき、位置決めピン８がピン係止部５９内に係止されていることにより操作釦５の軸部５２を中心とする回動が規制されて、ロック筒７の回転に追従して操作釦５が軸方向に回動する（すなわち、操作釦５がロック筒７ととも回りする）ことが防止される。
これにより、ロック筒７の鍔部７３の外側面が腕時計ケース１の外側面に当接して、操作釦５の押し込み操作ができないロック状態となり、操作釦５が誤操作されないようにロックされる。
【００３７】
以上のように、本実施形態によれば、位置決めピン８が操作釦５の頭部５１内に形成されたピン係止部５９内に係止されているために、操作釦５をロック状態としたり、操作釦５のロックを解除したりするためにロック筒７を回転させた際、操作釦５がこれに追従して回転する（すなわち、操作釦５がロック筒７ととも回りする）ことを防止することができる。
ロック筒７を回転させた際に操作釦５が同時に回転してしまうと軸部５２の軸方向にロック筒７が移動せず、操作釦５のロック及びロック解除を適切に行うことができない。また、コイルばね９に無理な力が加わったり、負荷がかかって変形したりするおそれもある。
この点、本実施形態では、位置決めピン８をピン係止部５９内に係止するという簡易な構成により、ロック筒７を回転させた際の操作釦５の回転（とも回り）を規制することができ、操作釦５等の部材を複雑な形状に成形・加工する必要がないため、コストの削減を図ることもできる。
【００３８】
位置決め部材として円柱状に形成された位置決めピン８を用いているので、位置決め部材の加工が容易であるとともに、周面に角がないため溝部であるピン係止部５９内に円滑に挿入・係止することができる。
【００３９】
また、位置決め部材である位置決めピン８を係止するピン係止部５９（溝部）の壁面側の形状が位置決めピン８の外周の形状に沿って半円形状に形成されているので、位置決めピン８を挿入する際に引っかかりにくく、容易に挿入することができる。
【００４０】
また、操作釦５の頭部５１と腕時計ケース１との間に、操作釦５の頭部５１を腕時計ケース１の中心から離間する方向に付勢するコイルばね９を設けているので、ロック状態を解除したときに操作釦５の頭部５１の位置を確実に操作釦５の解除位置まで復帰させることができる。これにより、ロック状態を解除したのに操作釦５が押されたままになってしまう等の誤動作を防止することができる。
【００４１】
また、操作釦５の軸部５２の周面にリング状の封止部材であるシールリング５５が嵌め込まれているため、貫通孔１１に挿入された案内筒６と操作釦５の軸部５２との間の気密性を確実に確保することができる。
【００４２】
なお、本実施形態では、位置決め部材として位置決めピン８を用いることとしたが、位置決め部材は、ピン係止部５９等の溝部に嵌合できるものであればよく、位置決めピン８に限定されない。
【００４３】
また、本実施形態では、位置決めピン８が腕時計ケース１設けられたピン挿入部１２に挿入されている場合を例としたが、位置決めピン８の構成はこれに限定されない。例えば、案内筒６や腕時計ケース１等と一体的に設けられていてもいい。
【００４４】
また、本実施形態では、位置決めピン８が円柱状である場合を例示したが、位置決めピンの形状は例示したものに限定されない。例えば、位置決めピンの形状は多角柱状等であってもよい。
なお、この場合、位置決めピンを挿入・係止するピン係止部（溝部）は、位置決めピンの外周の形状に沿った形状に形成する。このように、ピン係止部（溝部）は、位置決めピンの外周の形状に沿った形状に形成することにより、位置決めピンをピン係止部（溝部）に円滑に挿入することができる。
【００４５】
また、本実施形態では、ピン挿入部１２を貫通孔１１よりも僅かに腕時計１００における視認側に近い位置に形成し、ピン係止部５９を軸部５２より上側（腕時計１００における視認側に近い側）に設けて、これに位置決めピン８を挿入・係止するようにしたが、位置決めピン８を設ける位置はこれに限定されない。位置決めピン８及びこれを係止するピン挿入部（溝部）は操作釦５の軸部５２に対して偏心した位置にあればよく、例えば、軸部５２の下方又は側方等でもいい。
【００４６】
また、本実施形態では、操作釦５を付勢する手段としてコイルばね９を設けることとしたが、コイルばね９は必須の構成要素ではない。コイルばね９を設けない場合には、例えば、板ばね４によって操作釦５を腕時計ケース１の中心から離間する方向に付勢するようにしてもいい。
【００４７】
また、本実施形態では、押釦装置５０を腕時計１００に適用する場合を例としたが、押釦装置５０を適用する機器は腕時計１００に限定されない。ロック状態を確実に保持する必要のある操作釦を備える機器であれば、腕時計以外の機器に対しても適用可能である。
【００４８】
また、操作釦５等の形状はここに例示したものに限定されない。例えば断面視８角形等の多角形状のものを用いてもよい。
【００４９】
なお、その他、本発明が上記実施の形態に限らず適宜変更可能であるのは勿論である。
【符号の説明】
【００５０】
１      腕時計ケース
４      板ばね
５      操作釦
６      案内筒
７      ロック筒
８      位置決めピン
９      コイルばね
１１    貫通孔
１２    ピン挿入部
５０    押釦装置
５１    頭部
５１ａ  雄ネジ
５２    軸部
５３    当接部
５５    シールリング
５９    ピン係止部
６２    挿通部
６３    鍔部
７２    雌ネジ
７３    鍔部
１００  腕時計
【図１】
2010197195.tif 000003
【図２】
2010197195.tif 000004
【図３】
2010197195.tif 000005
【図４】
2010197195.tif 000006
【図５】
2010197195.tif 000007
【図６】
2010197195.tif 000008